【手続補正書】
【提出日】平成25年8月7日(2013.8.7)
【手続補正１】
【補正対象書類名】特許請求の範囲
【補正対象項目名】全文
【補正方法】変更
【補正の内容】
【特許請求の範囲】
【請求項１】
骨に植え込み可能な補綴用装置において、
該骨に植え込み可能な補綴用装置を他の構造体と相互に界面接続するよう作用可能な界面部分と、
該界面部分に連結された軸部とを備え、該軸部は、骨組織内の所望の深さまで植え込み得る構造とされ、該軸部は、
金属製ピン、フィン及び／又は格子構造体であって、骨組織と界面接続されるよう作用可能であることにより、荷重を前記軸部と骨組織との間にて伝達する前記ピン、フィン及び／又は格子構造体を含む、骨に植え込み可能な補綴用装置。
【請求項２】
請求項１に記載の骨に植え込み可能な補綴用装置において、
前記格子構造体は中空である、骨に植え込み可能な補綴用装置。
【請求項３】
請求項１に記載の骨に植え込み可能な補綴用装置において、
前記界面部分は大腿骨頂部であり、前記その他の構造体は、腰関節ソケットである、骨に植え込み可能な補綴用装置。
【請求項４】
請求項１に記載の骨に植え込み可能な補綴用装置において、
前記軸部は中空の通路を含み、前記中空の通路内に配設された骨成長剤を更に備える、骨に植え込み可能な補綴用装置。
【請求項５】
請求項１に記載の骨に植え込み可能な補綴用装置において、
前記金属製ピン、フィン及び／又は格子構造体は、外側リング構造体を有する中空の本体を含み、
該中空本体は、所望の植え込み深さに相応する長さを有し、
前記外側リング構造体は、外側格子構造体を形成する第一の複数の開口部を含む、骨に植え込み可能な補綴用装置。
【請求項６】
請求項５に記載の骨に植え込み可能な補綴用装置において、
前記開口部は、外側リング構造体を貫通して伸び、中空本体の内側を骨組織の内側の成長に対して露呈させる、骨に植え込み可能な補綴用装置。
【請求項７】
請求項５に記載の骨に植え込み可能な補綴用装置において、
前記外側格子構造体は、ワレン式梁（Ｗａｒｒｅｎ ｇｉｒｄｅｒ）及びストラッツメッシュ（ｓｔｒｕｔ ｍｅｓｈ）により規定される、骨に植え込み可能な補綴用装置。
【請求項８】
請求項５に記載の骨に植え込み可能な補綴用装置において、
前記外側格子構造体のストラッツ構造体は、ヒトの骨組織の剛性に相応する中空本体の剛性を実現するよう調整される、骨に植え込み可能な補綴用装置。
【請求項９】
請求項５に記載の骨に植え込み可能な補綴用装置において、
前記外側リング構造体の内側にて前記中空の本体内に配設された内側リング構造体を更に備え、
該内側リング構造体は、内側格子構造体を形成する第二の複数の開口部を含む、骨に植え込み可能な補綴用装置。
【請求項１０】
請求項９に記載の骨に植え込み可能な補綴用装置において、
前記内側リング構造体は、前記内側リング構造体の末端と前記内側リング構造体の基端との間の複数の位置にて前記外側リング構造体に連結される、骨に植え込み可能な補綴用装置。
【請求項１１】
請求項９に記載の骨に植え込み可能な補綴用装置において、
前記外側リング構造体の内側で且つ前記内側リング構造体の外側にて前記中空の本体内に配設された金属製中間リング構造体を更に備え、
該中間リング構造体は、中間の格子構造体を形成する第三の複数の開口部を含む、骨に植え込み可能な補綴用装置。
【請求項１２】
請求項１１に記載の骨に植え込み可能な補綴用装置において、
前記中間リング構造体は、前記中間リング構造体の末端と前記中間リング構造体の基端との間の複数の位置にて前記外側リング構造体に、及び前記内側リング構造体に連結される、骨に植え込み可能な補綴用装置。
【請求項１３】
請求項９に記載の骨に植え込み可能な補綴用装置において、
前記内側リング構造体の内側にて前記中空の本体内に配設された中央支持部材を更に備え、
該中央支持部材は、前記内側リング構造体の末端と前記内側リング構造体の基端との間の複数の位置にて前記内側リング構造体に連結される、骨に植え込み可能な補綴用装置。
【請求項１４】
請求項５に記載の骨に植え込み可能な補綴用装置において、
複数の剛性化アームを更に備え、
前記剛性化アームの数及び／又は厚さが、ヒトの骨組織の剛性に合うべく軸部の剛性を調整するように選ばれる、骨に植え込み可能な補綴用装置。
【請求項１５】
請求項５に記載の骨に植え込み可能な補綴用装置において、
複数の半径方向部分を更に備え、
前記半径方向部分の数が、ヒトの骨組織の剛性に合うべく軸部の剛性を調整するように選ばれる、骨に植え込み可能な補綴用装置。
【請求項１６】
請求項５に記載の骨に植え込み可能な補綴用装置において、
前記外側リング構造体の内側にて前記中空の本体内に配設された中央支持部材を更に備え、
前記中央支持部材は、前記外側リング構造体の末端と前記外側リング構造体の基端との間の複数の位置にて前記外側リング構造体に連結されている、骨に植え込み可能な補綴用装置。
【請求項１７】
補綴用インプラントを形成する方法において、
補綴用インプラントを鋳造する一体のコアと一体のシェルとを有するセラミックモールドを電子的に規定するステップと、
該電子的規定を使用してセラミックモールドをフリーフォーム製造するステップと、
前記セラミックモールドを焼結するステップと、
溶融合金を焼結したモールドに供給するステップと、
溶融合金を凝固させるステップと、
セラミックモールドを除去して鋳造した補綴用インプラントを生産するステップとを備える、補綴用インプラントを形成する方法。
【手続補正２】
【補正対象書類名】明細書
【補正対象項目名】００７２
【補正方法】変更
【補正の内容】
【００７２】
現在、最も実用的で且つ好ましい実施の形態であると考えられるものに関して本発明を説明したが、本発明は、開示した実施の形態にのみ限定されるものではなく、法により許容される改変例及び等価物の全てを包含するよう最広義の解釈に従って行なわれるべき、特許請求の範囲の思想及び範囲に含まれる多様な改変例及び等価的な構成を対象とすることを目的とするものである。更に、上記の説明にて使用した、好ましい、好ましくは又は好まれるという語は、その説明した特徴が望ましいことを意味するが、必ずしもそうではなく、その語を欠く全ての実施の形態が本発明の範囲に属するものと解釈することができ、その範囲は、以下の定義によって規定されるべきである。特許請求の範囲を読むとき、「ある」、「１つの」、「少なくとも１つの」及び「少なくとも一部分」というような語が使用されるとき、請求の範囲に別段の記載がない限り、特許請求の範囲を１つの項目にのみ限定することを意図するものではない。更に、「少なくとも一部分」及び（又は）「一部分」という語が使用されるとき、その項目は、別段の記載がない限り、その項目の一部分及び（又は）全体を含むものである。以下は、当初の請求項の記載である。
（請求項１）
骨に植え込み可能な補綴用装置において、
該骨に植え込み可能な補綴用装置を他の構造体と相互に界面接続するよう作用可能な界面部分と、
該界面部分に連結された軸部とを備え、該軸部は、骨組織内の所望の深さまで植え込み得る構造とされ、該軸部は、
ピン、フィン及び／又は格子構造体であって、骨組織と界面接続されるよう作用可能であることにより、荷重を前記軸部と骨組織との間にて伝達する前記ピン、フィン及び／又は格子構造体を含む、骨に植え込み可能な補綴用装置。
（請求項２）
請求項１に記載の骨に植え込み可能な補綴用装置において、
前記格子構造体は中空である、骨に植え込み可能な補綴用装置。
（請求項３）
請求項１に記載の骨に植え込み可能な補綴用装置において、
前記界面部分は大腿骨頂部である、骨に植え込み可能な補綴用装置。
（請求項４）
請求項３に記載の骨に植え込み可能な補綴用装置において、
前記その他の構造体は、腰関節ソケットである、骨に植え込み可能な補綴用装置。
（請求項５）
請求項１に記載の骨に植え込み可能な補綴用装置において、
前記軸部は中空の通路を含む、骨に植え込み可能な補綴用装置。
（請求項６）
請求項５に記載の骨に植え込み可能な補綴用装置において、
前記中空の通路内に配設された骨成長剤を更に備える、骨に植え込み可能な補綴用装置。
（請求項７）
請求項６に記載の骨に植え込み可能な補綴用装置において、
前記中空の通路を密封するよう作用可能なプラグを更に備える、骨に植え込み可能な補綴用装置。
（請求項８）
請求項７に記載の骨に植え込み可能な補綴用装置において、
前記プラグは、体内吸収性（ｒｅｓｏｒｂａｂｌｅ）である、骨に植え込み可能な補綴用装置。
（請求項９）
請求項７に記載の骨に植え込み可能な補綴用装置において、
前記プラグは、時間放出式プラグである、骨に植え込み可能な補綴用装置。
（請求項１０）
補綴用インプラントにおいて、
その他の構造体と相互界面接続するよう作用可能な界面部分と、
該界面部分に連結された軸部とを備え、該軸部は、
骨組織内に所望の深さまで植え込み得る構造とされ、また、該軸部は、外側リング構造体を有する中空の本体を含み、
該中空本体は、所望の植え込み深さに相応する長さを有し、
前記外側リング構造体は、外側格子構造体を形成する第一の複数の開口部を含む、補綴用インプラント。
（請求項１１）
請求項１０に記載の補綴用インプラントにおいて、
前記開口部は、外側リング構造体を貫通して伸び、中空本体の内側を骨組織の内側の成長に対して露呈させる、補綴用インプラント。
（請求項１２）
請求項１０に記載の補綴用インプラントにおいて、
前記外側格子構造体は、ストラッツメッシュ（ｓｔｒｕｔ ｍｅｓｈ）により規定される、補綴用インプラント。
（請求項１３）
請求項１０に記載の補綴用インプラントにおいて、
前記外側格子構造体は、ワレン式梁（Ｗａｒｒｅｎ ｇｉｒｄｅｒ）により規定される、補綴用インプラント。
（請求項１４）
請求項１０に記載の補綴用インプラントにおいて、
前記外側格子構造体のスラッツ構造体は、ヒトの骨組織の剛性に相応する中空本体の剛性を実現するよう調整される、補綴用インプラント。
（請求項１５）
請求項１０に記載の補綴用インプラントにおいて、
前記外側リング構造体に盲開口部を更に備える、補綴用インプラント。
（請求項１６）
請求項１５に記載の補綴用インプラントにおいて、
前記盲開口部内に配設された骨成長剤と、
前記盲開口部を密封するよう作用可能なプラグとの少なくとも１つを更に備える、補綴用インプラント。
（請求項１７）
請求項１６に記載の補綴用インプラントにおいて、
前記プラグは体内吸収性であり、且つ時間放出式プラグであるかの少なくとも一方である、補綴用インプラント。
（請求項１８）
請求項１０に記載の補綴用インプラントにおいて、
前記外側リング構造体の内側にて前記中空の本体内に配設された内側リング構造体を更に備え、
該内側リング構造体は、内側格子構造体を形成する第二の複数の開口部を含む、補綴用インプラント。
（請求項１９）
請求項１８に記載の補綴用インプラントにおいて、
前記内側リング構造体は、前記内側リング構造体の末端と前記内側リング構造体の基端との間の複数の位置にて前記外側リング構造体に連結される、補綴用インプラント。
（請求項２０）
請求項１８に記載の補綴用インプラントにおいて、
前記外側リング構造体の内側で且つ前記内側リング構造体の外側にて前記中空の本体内に配設された中間リング構造体を更に備え、
該中間リング構造体は、中間の格子構造体を形成する第三の複数の開口部を含む、補綴用インプラント。
（請求項２１）
請求項２０に記載の補綴用インプラントにおいて、
前記中間リング構造体は、前記中間リング構造体の末端と前記中間リング構造体の基端との間の複数の位置にて前記外側リング構造体に、及び前記内側リング構造体に連結される、補綴用インプラント。
（請求項２２）
請求項１８に記載の補綴用インプラントにおいて、
前記内側リング構造体の内側にて前記中空の本体内に配設された中央支持部材を更に備え、
該中央支持部材は、前記内側リング構造体の末端と前記内側リング構造体の基端との間の複数の位置にて前記内側リング構造体に連結される、補綴用インプラント。
（請求項２３）
請求項１０に記載の補綴用インプラントにおいて、
複数の剛性化アームを更に備え、
前記剛性化アームの数が、ヒトの骨組織の剛性に合うべく軸部の剛性を調整するように選ばれる、補綴用インプラント。
（請求項２４）
請求項２３に記載の補綴用インプラントにおいて、前記剛性化アームの厚さが、ヒトの骨組織の剛性に合うべく前記軸部の剛性を調整するように選ばれる、補綴用インプラント。
（請求項２５）
請求項１０に記載の補綴用インプラントにおいて、複数の半径方向部分を更に備え、
前記半径方向部分の数が、ヒトの骨組織の剛性に合うべく軸部の剛性を調整するように選ばれる、補綴用インプラント。
（請求項２６）
請求項１０に記載の補綴用インプラントにおいて、
前記外側リング構造体の内側にて前記中空の本体内に配設された中央支持部材を更に備え、
前記中央支持部材は、前記外側リング構造体の末端と前記外側リング構造体の基端との間の複数の位置にて前記外側リング構造体に連結されている、補綴用インプラント。
（請求項２７）
補綴用インプラントにおいて、
外側構造体と相互に界面接続するよう作用可能な界面部分と、
該界面部分に連結された軸部と、を備え、該軸部は、骨組織内に所望の深さまで植え込み得る構造とされ、該軸部は、
所望の植え込み深さに相応する長さを有する本体と、
該本体から外方に伸びて、且つ該本体の長さに沿って互いに隔てられた複数の突出部と、を含み、
該突出部は、本体と一体に形成され且つ骨組織と係合するよう作用可能である、補綴用インプラント。
（請求項２８）
請求項２７に記載の補綴用インプラントにおいて、
前記本体は中空である、補綴用インプラント。
（請求項２９）
請求項２７に記載の補綴用インプラントにおいて、
前記複数の突出部は、複数のピン及び（又は）複数のフィンを含む、補綴用インプラント。
（請求項３０）
請求項２７に記載の補綴用インプラントにおいて、
前記本体は、外側リング構造体を含み、
前記突出部は、前記外側リング構造体から外方に伸びている、補綴用インプラント。
（請求項３１）
請求項３０に記載の補綴用インプラントにおいて、
前記本体は、前記外側リング構造体の内側にて前記本体内に配設された中央支持部材を含む、補綴用インプラント。
（請求項３２）
補綴用インプラントを形成する方法において、
一体のコアと、一体のシェルとを有するセラミックモールドをフリーフォーム製造するステップであって、該セラミックモールドは、鋳造した補綴用インプラントを生産するよう構成された、前記セラミックモールドをフリーフォーム製造するステップと、
前記セラミックモールドを焼結するステップと、
溶融合金を焼結したモールドに供給するステップと、
セラミックモールドを除去して鋳造した補綴用インプラントを生産するステップとを備える、補綴用インプラントを形成する方法。
（請求項３３）
補綴用インプラントを形成する方法において、
補綴用インプラントを鋳造する一体のコアと一体のシェルとを有するセラミックモールドを電子的に規定するステップと、
該電子的規定を使用してセラミックモールドをフリーフォーム製造するステップと、
溶融合金をセラミックモールドに供給するステップと、
溶融合金を凝固させるステップと、
セラミックモールドを浸出液に浸して鋳造された補綴用インプラントを得るステップとを備える、補綴用インプラントを形成する方法。